(57)【要約】【課題】郵便番号入力機能を熟知していないユーザでも簡易な住所入力ができるようにする。【解決手段】辞書部２６ｂの郵便番号辞書には、郵便番号ごとに読みと表記が記憶されている。ある郵便番号が確定文字列バッファ２７ａに存在する場合には、その郵便番号についての読みと表記とが拡張履歴バッファ２７ｃに記憶される。これにより、たとえば郵便番号「７７０−８０５１」を入力し、これをそのまま確定した後、当該郵便番号で対応づけられている住所「徳島県徳島市沖浜町」の読み「とくしまけん・・・」を途中まで入力すると、「徳島県徳島市沖浜町」を省入力変換候補として報知することができる。【選択図】　図２
2004139402.tif 000002
【特許請求の範囲】
【請求項１】
入力された文字列を読み文字列として記憶する入力文字列記憶手段、
読み文字列およびこれに対応する変換後文字列を記憶する変換辞書記憶手段、
変換命令が与えられると、前記入力文字列記憶手段に記憶された読み文字列を前記変換辞書記憶手段を参照して変換後文字列に変換し、未確定文字列記憶手段に記憶する変換手段、
確定命令が与えられると、前記未確定文字列記憶手段に記憶された文字列および前記入力文字列記憶手段に記憶された対応する読み文字列を履歴情報として記憶する確定手段、
前記入力文字列記憶手段に記憶される読み文字列について、前記履歴情報のうち所定の合致度を越える読み文字列が存在する場合には、対応する変換後文字列を省入力候補として報知する報知手段、
を備えた文字列変換装置であって、
前記変換辞書記憶手段に記憶された変換後文字列には、キーワードが対応づけられており、
前記変換手段は、変換命令が与えられると、前記入力文字列に前記キーワードが存在するか否か判断し、存在する場合には対応する変換後文字列に変換し、
前記確定手段は、前記確定された文字列中に、前記キーワードが含まれている場合には、前記変換辞書記憶手段を参照して、当該キーワードに対応づけられている変換後文字列とその読み文字列とを対応づけて、前記履歴情報として記憶すること、
を特徴とする文字列変換装置。
【請求項２】
請求項１の文字列変換装置において、
前記変換辞書記憶手段には、住所に対する郵便番号をキーワードとして記憶しており、
前記変換手段は、変換命令が与えられると、前記入力文字列に前記郵便番号が存在するか否か判断し、存在する場合には対応する住所を変換後文字列として変換し、
前記確定手段は、前記確定された文字列中に、前記郵便番号が含まれている場合には、前記変換辞書記憶手段を参照して、当該郵便番号に対応づけられている住所とその読み文字列とを対応づけて、前記履歴情報として記憶すること、
を特徴とする文字列変換装置。
【請求項３】
入力された文字列を変換辞書を用いて変換させたあと、これが確定されると当該変換後文字列およびその読み文字列を履歴として記憶しておき、新たに与えられた読み文字列について、前記履歴を参照して省入力候補を報知する省入力変換候補報知方法に用いる履歴情報生成方法であって、
前記変換辞書には、変換後文字列変換命令が与えられた場合に入力された読み文字列が合致すると対応する変換後文字列に変換するためのキーワードが前記変換後文字列に対応づけられて記憶されており、
前記確定された文字列中に、前記キーワードが含まれている場合には、前記変換辞書を参照して、当該キーワードに対応づけられている変換後文字列とその読み文字列とを対応づけて、前記履歴として記憶すること、
を特徴とする履歴情報生成方法。
【請求項４】
以下の出力候補決定方法をコンピュータで実現するためのプログラム。
文字列が入力されると、当該文字列と合致する文字列が第１カラムに存在するレコードを特定し、当該レコードの第２カラムに記憶された文字列を出力候補として報知し、操作者が当該候補を出力文字列として確定した場合には、当該レコードの第１カラムおよび第２カラムに記憶された文字列の組を優先出力候補として記憶する優先出力候補決定方法であって、
前記レコードの第３カラムにはキーワードが記憶されており、入力された文字列がいずれかのレコードの第３カラムに記憶されたキーワードと一致する場合に操作者が、当該キーワードを出力文字列として確定させた場合には、当該レコードの第１カラムおよび第２カラムに記憶された文字列の組を優先出力候補として記憶する。
【発明の詳細な説明】
【０００１】
【発明の属する技術分野】
本発明は、文字列変換装置に関し、特に、履歴情報の生成に関する。
【０００２】
【従来技術】
出願人は既に、入力された文字列と変換後の文字列を合わせて履歴として記憶しておき、所定の合致度を超える場合には、前記入力される文字列と完全一致しない場合も、これを変換候補として表示する省入力候補表示方法について、出願をしている（特許文献１参照。）。たとえば、キーボードから「とくしまけんとくしましおきのはまちょう」と入力し、変換キーを押して、「徳島県徳島市沖浜町」と変換すると、これらの組み合わせが履歴バッファに記憶される。そして、「とくしまけ」まで入力すると、「徳島県徳島市沖浜町」が省入力変換候補として画面上に表示される。
【０００３】
【特許文献１】
特開平１２−１２３００６号公報（図１６）
【０００４】
また、現在では郵便番号の７桁表示が導入され、郵便番号を入力して、変換キーを押下すると、対応する住所が表示されるかな漢字変換方法が知られている。具体的には、「７７０−８０５１」と入力して変換キーを押すと、「徳島県徳島市沖浜町」が変換候補として表示される。
【０００５】
【発明が解決しようとする課題】
上記２つの発明を組み合わせることにより、「７７０−８０５１」とすべてを入力しなくても、「７７０−」と入力した段階で、「徳島県徳島市沖浜町」を省入力変換候補として画面上に表示することができる。
【０００６】
しかしながら、上記組み合わせでは下記のような問題があった。「７７０−８０５１」と「徳島県徳島市沖浜町」との対応が履歴バッファに記憶されるだけなので、操作者が郵便番号だけを用いて対応する住所を入力した場合には、よみを途中まで入力しても、省入力変換候補としての「徳島県徳島市沖浜町」は表示されない。
【０００７】
かかる問題は、かな漢字変換処理だけでなく、１のレコードが複数のカラムから構成されており、いずれかのカラムが指定されると他のカラムに記憶されているデータを出力候補として決定する文字列入力処理においては、同様に問題となる。
【０００８】
この発明は、上記問題を解決し、簡易に文字列を入力することができる装置または方法を提供することを目的とする。
【０００９】
【課題を解決するための手段】
１）本発明にかかる文字列変換装置は、１）入力された文字列を読み文字列として記憶する入力文字列記憶手段、２）読み文字列およびこれに対応する変換後文字列を記憶する変換辞書記憶手段、３）変換命令が与えられると、前記入力文字列記憶手段に記憶された読み文字列を前記変換辞書記憶手段を参照して変換後文字列に変換し、未確定文字列記憶手段に記憶する変換手段、４）確定命令が与えられると、前記未確定文字列記憶手段に記憶された文字列および前記入力文字列記憶手段に記憶された対応する読み文字列を、履歴情報として記憶する確定手段、５）前記入力文字列記憶手段に記憶される読み文字列について、前記履歴情報のうち所定の合致度を越える読み文字列が存在する場合には、対応する変換後文字列を省入力候補として報知する報知手段を備えた文字列変換装置であって、６）前記変換辞書記憶手段に記憶された変換後文字列には、キーワードが対応づけられており、７）前記変換手段は、変換命令が与えられると、前記入力文字列に前記キーワードが存在するか否か判断し、存在する場合には対応する変換後文字列に変換し、８）前記確定手段は、前記確定された文字列中に、前記キーワードが含まれている場合には、前記変換辞書記憶手段を参照して、当該キーワードに対応づけられている変換後文字列とその読み文字列とを対応づけて、前記履歴情報として記憶する。このように、ある変換後文字列についてのキーワードを入力して確定後の文字列に当該キーワードが含まれる場合には、当該キーワードに対応付けされた変換後文字列およびその読み文字列を履歴情報として記憶することにより、キーワードを変換後文字列に変換することなく確定させた場合にも、当該キーワードの変換前文字列についての省入力変換が可能となる。これにより、簡易入力が可能となる。
【００１０】
２）本発明にかかる文字列変換装置は、前記変換辞書記憶手段には、住所に対する郵便番号をキーワードとして記憶しており、前記変換手段は、変換命令が与えられると、前記入力文字列に前記郵便番号が存在するか否か判断し、存在する場合には対応する住所を変換後文字列として変換し、前記確定手段は、前記確定された文字列中に、前記郵便番号が含まれている場合には、前記変換辞書記憶手段を参照して、当該郵便番号に対応づけられている住所とその読み文字列とを対応づけて、前記履歴情報として記憶する。したがって、郵便番号をそのまま確定させた場合にも、当該郵便番号に対応する住所の読みを用いた省入力変換が可能となる。
【００１１】
３）本発明にかかる履歴情報生成方法は、Ａ）入力された文字列を変換辞書を用いて変換させたあと、これが確定されると当該変換後文字列およびその読み文字列を履歴として記憶しておき、新たに与えられた読み文字列について、前記履歴を参照して省入力候補を報知する省入力変換候補報知方法に用いる履歴情報生成方法であって、Ｂ）前記変換辞書には、変換後文字列変換命令が与えられた場合に入力された読み文字列が合致すると対応する変換後文字列に変換するためのキーワードが前記変換後文字列に対応づけられて記憶されており、Ｃ）前記確定された文字列中に、前記キーワードが含まれている場合には、前記変換辞書を参照して、当該キーワードに対応づけられている変換後文字列とその読み文字列とを対応づけて、前記履歴として記憶する。したがって、前記キーワードについて、操作者が変換後文字列変換命令をあたえることなく確定させた場合にも、当該キーワードの変換前文字列についての省入力変換が可能となる。これにより、簡易入力が可能となる。
【００１２】
４）本発明にかかるプログラムにおいては、前記レコードの第３カラムにはキーワードが記憶されており、入力された文字列がいずれかのレコードの第３カラムに記憶されたキーワードと一致する場合に操作者が、当該キーワードを出力文字列として確定させた場合には、当該レコードの第１カラムおよび第２カラムに記憶された文字列の組を優先出力候補として記憶する。したがって、前記キーワードを出力文字列として確定させた場合にも、当該レコードの第１カラムおよび第２カラムに記憶された文字列の組を優先出力候補として記憶することができる。これにより、簡易入力が可能となる。
【００１３】
なお、本明細書において、「キーワード」とは、変換後文字列の一部のワードである短縮ワードである場合はもちろん、実施形態のように郵便番号のような数字または英文字の組み合わせコードで表されている場合も含む。
【００１４】
また、「レコード」とは、１のレコードが複数のカラムのデータで構成される形式であればどのような形式でもよく、たとえばリレーショナルデータベース形式のように各データが関連づけられているような場合も含む。
【００１５】
また、「変換後文字列変換命令」とは、実施形態では郵便番号を対応する住所に変換される命令が該当する。
【００１６】
また「確定された文字列中に、前記キーワードが含まれている場合」とは、キーワードが変換後文字列に変換されることなくそのまま確定される場合はもちろん、半角変換、全角変換などを行った場合のように、結果的に、確定文字列に含まれる場合を全て含む概念である。また無変換キーを有する場合には、無変換キーが押された場合も含む。
【００１７】
なお、実施形態では、入力文字列記憶手段は読みバッファ２７ｂが、未確定文字列記憶手段は未確定文字列バッファ２７ｄが、確定文字列記憶手段は確定文字列バッファ２７ａが、変換辞書記憶手段３は辞書部２６ｂが、変換手段はＣＰＵ２３のステップＳ１５の処理が、報知手段はＣＰＵ２３のステップＳ７の処理が、それぞれ該当する。
【００１８】
また、履歴情報とは、省入力変換を行う場合に用いる情報であり、実施形態では、確定文字列バッファ２７ａまたは拡張履歴バッファ２７ｃに記憶された読み文字列および表記文字列の組データが該当する。
【００１９】
【発明の実施の形態】
１．概略および機能ブロックの説明
本発明の一実施形態を図面に基づいて説明する。図１に、本発明にかかるかな漢字変換装置１の機能ブロック図を示す。かな漢字変換装置１は、入力文字列記憶手段２、変換辞書記憶手段３、変換手段５、未確定文字列記憶手段６、確定手段８、確定文字列記憶手段１１、および報知手段９を備えている。
【００２０】
入力文字列記憶手段２は、入力された文字列を読み文字列として記憶する、変換辞書記憶手段３は、読み文字列およびこれに対応する変換後文字列を記憶する。また、変換辞書記憶手段３に記憶された変換後文字列には、キーワードが対応づけられている。変換手段５は、変換命令が与えられると、入力文字列記憶手段２に記憶された読み文字列を変換辞書記憶手段３を参照して変換後文字列に変換し、未確定文字列記憶手段６に記憶する。また、変換手段５は、変換命令が与えられると、前記入力文字列に前記キーワードが存在するか否か判断し、存在する場合には対応する変換後文字列に変換し、未確定文字列記憶手段６に記憶する。確定手段８は、確定命令が与えられると、未確定文字列記憶手段６に記憶された文字列および入力文字列記憶手段２に記憶された対応する読み文字列と対応づけて、履歴情報記憶手段７に履歴情報として記憶する。報知手段９は、入力文字列記憶手段２に記憶される読み文字列について、前記履歴情報のうち所定の合致度を越える読み文字列が存在する場合には、対応する変換後文字列を省入力候補として報知する
確定手段８は、前記確定された文字列中に、前記キーワードが含まれている場合には、変換辞書記憶手段３を参照して、当該キーワードに対応づけられている変換後文字列とその読み文字列とを対応づけて、前記履歴情報として記憶する。
【００２１】
したがって、操作者がキーワードを対応する変換後文字列に変換することなく、確定させた場合でも、対応する変換後文字列の読みを用いて省入力変換処理が可能となる。
【００２２】
２．かな漢字変換装置１のハードウェア構成
図２に、図１に示すかな漢字変換装置１をＣＰＵを用いて構成したハードウェア構成の一例を示す。
【００２３】
かな漢字変換装置１は、ＣＰＵ２３、メモリ２７、ハードディスク２６、ＣＤＤ（ＣＤ−ＲＯＭドライブ）２５、キーボード２８、ディスプレイ３０，マウス３１およびバスライン２９を備えている。
【００２４】
ＣＰＵ２３は、ハードディスク２６に記憶されたプログラムにしたがいバスライン２９を介して、各部を制御する。なお、本実施形態においては、オペレーティングシステム（図示せず）として、マイクロソフト社製のｗｉｎｄｏｗｓＸＰ（商標）等を採用した。
【００２５】
ハードディスク２６には、後述するかな漢字変換プログラム２６ａが記憶されている。このプログラムは、ＣＤＤ２５を介して、プログラムが記憶されたＣＤ−ＲＯＭ２５ａから読み出されてハードディスク２６にインストールされたものである。なお、ＣＤ−ＲＯＭ以外に、フレキシブルディスク（ＦＤ）、ＩＣカード等のプログラムをコンピュータ可読の記録媒体から、ハードディスクにインストールさせるようにしてもよい。さらに、通信回線を用いてダウンロードするようにしてもよい。
【００２６】
本実施形態においては、プログラムをＣＤ−ＲＯＭからハードディスク２６にインストールさせることにより、ＣＤ−ＲＯＭに記憶させたプログラムを間接的にコンピュータに実行させるようにしている。しかし、これに限定されることなく、ＣＤ−ＲＯＭに記憶させたプログラムをＣＤＤ２５から直接的に実行するようにしてもよい。なお、コンピュータによって、実行可能なプログラムとしては、そのままのインストールするだけで直接実行可能なものはもちろん、一旦他の形態等に変換が必要なもの（例えば、データ圧縮されているものを、解凍する等）、さらには、他のモジュール部分と組合して実行可能なものも含む。
【００２７】
ハードディスク２６には、かな漢字変換プログラム２６ａ、変換辞書２６ｂ、省入力候補決定規則記憶部２６ｃを有する。変換辞書２６ｂは、入力文字列を変換後文字列に変換するための文字列変換辞書が記憶されている。また、変換辞書２６ｂはさらに図３に示すような郵便番号辞書を含んでいる。郵便番号辞書は、郵便番号と対応する住所およびその読みが記憶されている。
【００２８】
かな漢字変換プログラム２６ａは、入力された読み文字列を変換辞書２６ｂの文字列変換辞書に基づいてかな漢字混じりの表記文字列に変換するとともに、後述するように省入力候補確定規則記憶部２６ｃに記憶された規則に基づいて、省入力変換モードにおいて、操作者が欲するであろう候補に変換する。本実施形態においては、かかる省入力候補確定規則として、上記特許文献１にて開示された規則を用いたが、これに限定されるものではない。
【００２９】
メモリ２７は、確定文字列バッファ２７ａ、読みバッファ２７ｂ、拡張履歴バッファ２７ｃ、未確定文字列バッファ２７ｄを有する。未確定文字列バッファ２７ｄには確定前の文字列が記憶される。確定文字列バッファ２７ａは確定後の表記文字列およびその読み文字列が記憶される。読みバッファ２７ｂには入力された読み文字列が記憶される。拡張履歴バッファ２７ｃには、後述するように、変換辞書を参照して、直接的には入力していない表記文字列およびその読み文字列の対応が記憶される。なお、メモリ２７にはその他、各種の演算結果等が記憶される。
【００３０】
３．フローチャート
つぎに、ハードディスク２６に記憶されているかな漢字変換プログラムについて、図４を用いて説明する。以下では、郵便番号「７７０−８０５１」を入力し、これを確定した後、当該郵便番号で対応づけられている住所「徳島県徳島市沖浜町」の読み「とくしまけん・・・」を途中まで入力した場合の省入力変換候補の表示する場合を、例として説明する。
【００３１】
まず、操作者はキーボード２８から、「７」を入力する。ＣＰＵ２３は、入力されたキーの種類を判断しており（図４ステップＳ１）、この場合、キーの種類は文字入力キーであるので、読みバッファ２７ｂに文字列「７」を記憶し、ディスプレイ３０に未確定状態で表示する（ステップＳ３）。ＣＰＵ２３は、確定文字列バッファ２７ａまたは拡張履歴バッファ２７ｃに省入力候補決定規則に合致するものが記憶されているか否か判断する（ステップＳ５）。この場合、これらのバッファには合致するものがないので、ステップＳ１にもどる。同様にして、操作者は、「７」「０」「−」「８」「０」「５」「１」と入力する。これにより、読みバッファ２７ｂおよび未確定文字列バッファ２７ｄに「７７０−８０５１」が記憶され、ディスプレイ３０には未確定文字列バッファ２７ｄに記憶された文字列が未確定状態で表示される。
【００３２】
この状態で、操作者は、確定キー（図示せず）を押す。ＣＰＵ２３は、入力されたキーの種類を判断しており（ステップＳ１）、この場合、確定キーであるので、ＣＰＵ２３は、確定文字列バッファ２７ａに読み「７７０−８０５１」と表記「７７０−８０５１」を記憶し（ステップＳ１８）、ディスプレイ３０には確定された「７７０−８０５１」を確定状態で表示する（ステップＳ１９）。
【００３３】
ＣＰＵ２３は、ステップＳ１８にて確定文字列バッファ２７ａに記憶された文字列が、表記文字列として郵便番号を含むか否か判断する（ステップＳ２１）。本実施形態においては、３桁の数字と４桁の数字がハイフンで結合されている場合には、郵便番号であると判断するようにした。
【００３４】
かかる文字列が郵便番号を含む場合に、ＣＰＵ２３は、変換辞書２６ｂを検索し（ステップＳ２３）、当該文字列が変換辞書２６ｂに存在するか否か判断する（ステップＳ２５）。この場合、存在するので、変換辞書２６ｂから、その郵便番号に対応する住所の読み「とくしまけんとくしましおきのはまちょう」と表記「徳島県徳島市沖浜町」を拡張履歴バッファ２７ｃ　に記憶する（ステップＳ２７）。具体的には、読み区切り（６，１１，１８）と表記区切り（３，６，９）を用いて、「とくしまけん：徳島県」、「とくしまし：徳島市」、「おきのはまちょう：沖浜町」と文節ごとに読みと表記が拡張履歴バッファ２７ｃに記憶される。
【００３５】
なお、ＣＰＵ２３は、ステップＳ２５にて当該文字列が変換辞書２６ｂに存在しなければ、ステップＳ２７の処理を行わない。
【００３６】
つぎに、操作者は、キーボードから「と」「く」「し」「ま」「け」「ん」と読みを順次入力する。ＣＰＵ２３は、キーの種類が文字入力キーであると判断し（ステップＳ１）、これらの文字列を読みバッファ２７ｂに記憶するとともに、ディスプレイ３０に未確定状態で表示する（ステップＳ３）。ＣＰＵ２３は、省入力候補決定規則を参照して、履歴情報として記憶された読み文字列と合致するか否か判断する（ステップＳ５）。たとえば、上記省入力候補決定規則として、「確定文字列バッファ２７ａまたは拡張履歴バッファ２７ｃに記憶された読みと前方一致する場合には、連続する文節まで省入力候補とする」という規則が記憶されている場合には、ＣＰＵ２３は、画面上に省入力候補として「徳島県徳島市沖浜町」が存在することを表示させる（ステップＳ７）。かかる省入力変換候補の表示方法として、本実施形態においては、図５に示すようなツールチップ６１を用いた表示を行ったが、かかる候補の表示方法はどのようなものであってもよい。なお、図５においては、文字列「７７０−８０５１」は確定状態で、「とくしまけん」は未確定状態で表示される。
【００３７】
操作者は、かかる省入力候補が入力したい文字列である場合には、省入力候補確定キーを押す。ＣＰＵ２３は、省入力候補確定キーが押されるか否か判断しており（ステップＳ９）、このキーが押されると、省入力候補に変換処理がなされ（ステップＳ１１）、そして、ステップＳ１８，ステップＳ１９と同様に、確定文字列バッファへの記憶および確定状態での表示がなされる（ステップＳ１２，ステップＳ１３）。
【００３８】
なお、ステップＳ１にてキーが変換キーである場合には、従来と同様に、変換辞書を用いた変換処理がなされる（ステップＳ１５）、変換候補を確定させるには確定キーを押せばよい。これにより、ステップＳ１８以下の処理が実行される。
【００３９】
このように、本実施形態においては、７桁の郵便番号が住所に変換されることなく確定されると、これをキーワードとして、対応する住所の読みと表記を拡張履歴バッファ２７ｃに記憶するようにした。したがって、一旦郵便番号を確定させれば、かかる郵便番号に対応する表記文字列の読みを入力していなくても、その読みによる省入力変換が可能となる。
【００４０】
また、拡張履歴バッファ２７ｃに記憶されるデータは、辞書にあらかじめ記憶されている読み区切りおよび表記区切り情報を用いて、文節ごとに区切って記憶している。したがって、当該住所の一部の読み（たとえば、「とくしまし」）からの省入力変換も可能となる。
【００４１】
４．他の実施形態
本実施形態においては、郵便番号をキーワードとする場合について説明したが、変換後文字列についてその読みと異なるワードをキーワードとして変換するような場合には、同様に適用することができる。たとえば、略語と正式名称とその読み、管理番号と管理対象の名称とその読み、ＵＲＬとそのＵＲＬに対応するサイトの名称とその読みなどを辞書登録しておけばよい。
【００４２】
また、入力する文字列を音声で入力する音声入力式かな漢字変換装置の場合も同様に適用することができる。
【００４３】
また、かな漢字変換装置だけでなく、１のレコードが複数のカラムから構成されており、いずれかのカラムが指定されると他のカラムに記憶されているデータを出力候補として決定する文字列入力処理についても同様に適用することができる。
【００４４】
なお、拡張履歴バッファ２７ｃに記憶する場合に、品詞情報を合わせて記憶するようにしてもよい。これにより、複数の省入力候補が存在する場合、たとえば、固有人名と結びつきの強い単語に対して特定の品詞情報を付与しておき、その単語が確定された直後は固有人名を優先させるといった処理を実行することにより確実に候補を表示できる。たとえば、読み「たなかたろう」、変換後文字列「田中太郎」が拡張履歴に登録されており、「氏名」に固有人名と結びつきが強いことを表す品詞情報を付与しており、　「たなからぼたもち」と入力して　「棚からぼた餅」と変換、確定し、その後、「しめい」と入力して　「氏名」と変換し確定する。これにより、直後の固有人名を優先することを表す品詞情報が記憶される。その後、　「たなか」の読みで省入力変換がなされる場合に、　最近の確定「棚からぼた餅」よりも「田中太郎」が優先出力される。
【００４５】
上記実施形態においては、図１に示す機能を実現する為に、ＣＰＵ２３を用い、ソフトウェアによってこれを実現している。しかし、その一部もしくは全てを、ロジック回路等のハードウェアによって実現してもよい。
【図面の簡単な説明】
【図１】本発明にかかるかな漢字変換装置１の機能ブロック図である。
【図２】かな漢字変換装置１をＣＰＵを用いて実現したハードウエア構成の一例を示す図である。
【図３】キーワードが付加された変換後文字列に関する辞書のデータ構造を示す。
【図４】変換処理のフローチャートである。
【図５】省入力変換候補を表示するダイアログボックスの一例を示す。
【符号の説明】
１・・・・かな漢字変換装置
２３・・・ＣＰＵ
２７・・・メモリ
【図１】
2004139402.tif 000003
【図２】
2004139402.tif 000004
【図３】
2004139402.tif 000005
【図４】
2004139402.tif 000006
【図５】
2004139402.tif 000007